(57)【要約】  本スーツ（１）は、独立している、内側キャビティまたは収容部（１０）に対する出入り開口（３０）及び顔開口（５０）を含み；顔開口（５０）の周りで、断熱壁構造（２）はフード（５）を有し、出入り開口（３０）及び顔開口（５０）は共に、断熱壁構造（２）から外側に広げられる展開可能スリーブ（４）によって囲まれ；保護外側カバーは、フード（５）をカバーするヘッドピースカバー（７）及び本体カバー（６）を含み、ヘッドピースカバー（７）及び本体カバー（６）は、周囲通路（９）によって分離され、周囲通路（９）を通して、展開可能スリーブ（４）は、前記フード（５）にわたってかつ前記出入り開口（３０）にわたって環境的な保護を形成するまで、展開することが可能である。【選択図】図２
2019527166.tif 000002
【特許請求の範囲】
【請求項１】
高い機能及び断熱を有する難破船のためのサルベージスーツであって、サルベージスーツの内側キャビティ（１０）内に人またはユーザの身体を収容する容量を有しながら、熱的及び水理学的保護を与え、浮遊ユニットを形成するサルベージスーツにおいて、
−  浮遊ユニットは、人の解剖学的形態に従い収容部（１０）を画定するが、例えば浮遊ミニキャビン等、人が前記収容部（１０）内で移動することを可能にするのに十分な幅を有し、
−  浮遊ユニットは、本体及びヘッドピース部内ならびにズボン脚部及び腕部内の両方に断熱壁構造（２）を含み、
−  前記断熱壁構造（２）に、保護外側カバー（６）を有し、
特徴として、
−  独立している、内側収容部（１０）に対する出入り開口（３０）及び顔開口（５０）を有し、
−  前記顔開口（５０）の周りで、前記断熱壁構造（２）はフード（５）を有し、
−  前記出入り開口（３０）及び前記顔開口（５０）は共に、前記断熱壁構造（２）から外側に広げられる展開可能スリーブ（４）によって囲まれ、
−  保護外側カバーは、フード（５）をカバーするヘッドピースカバー（７）及び本体カバー（６）を含み、
−  前記ヘッドピースカバー（７）及び前記本体カバー（６）は、フレーム通路（９）によって分離され、前記フレーム通路（９）を介して、前記展開可能スリーブ（４）は、前記ヘッドピースフード（５）にわたってかつ前記出入り開口（３０））にわたって環境的な保護を形成するまで、展開することが可能である
ことが特徴付けられる、サルベージスーツ。
【請求項２】
ヘッドピースカバー（７）は、前記ヘッドピースカバー（７）を前記断熱壁構造（２）に結合するリテンション手段（７８）を少なくとも含むことを特徴とする、請求項１に記載のサルベージスーツ。
【請求項３】
リテンション手段（７８）は迅速開閉式であることを特徴とする、請求項２に記載のサルベージスーツ。
【請求項４】
外側展開可能スリーブ（４）は、前記外側展開可能スリーブ（４）の展開支持部として働く弾性展開可能リムを少なくとも含むことを特徴とする、請求項１に記載のサルベージスーツ。
【請求項５】
外側スリーブ（４）は、前記外側展開可能スリーブ（４）の外側開口の閉鎖手段（４３）を含むことを特徴とする、請求項１に記載のサルベージスーツ。
【請求項６】
−  フード（５）は、ユーザの顔のための顔開口（５０，７０）の周りでヘッドピースカバー（７）に関連付けられ、
−  前記ヘッドピースカバー（７）及び前記フード（５）は、牽引配置構成（７４）の影響下にあり、前記牽引配置構成（７４）は、周囲エリアに隣接するラインプル接続部（７４０）から前記顔開口（７０）まで、内側周囲エリア（５１）にわたる顔一体化の圧力を加えることが可能であり、
−  前記牽引配置構成（７４）は、後収束配置構成（７５）であって、ラインプル接続部（７４０）を後収束配置構成（７５）に接続する幾つかのラインプル分岐（７４１）が収束する先の後収束配置構成（７５）によって影響が及ぼされるものとして働く
ことを特徴とする、請求項１に記載のサルベージスーツ。
【請求項７】
収束配置構成及び牽引配置構成（７４）が、スーツ（１）の外側ヘッドピースカバー（７）の内側部内に搭載され、前記フード（５）と前記ヘッドピースカバー（７）との間の接続部を通してフード（５）にわたって機能することを特徴とする、請求項６に記載のサルベージスーツ。
【請求項８】
−  牽引配置構成（７４）は、固定されたラインプル接続部を含み、前記ラインプル接続部は、顔開口（７０）と外側カバー（７）の後エリアとの間の中間エリアに設置され、前記顔開口（７０）の周囲エリアにわたって伸張をもたらすことが可能であり、
−  前記牽引配置構成（７４）は、後収束配置構成（７５）から、少なくとも前記固定式ラインプル（７５１）の一部に接続する伸張ストリップ（７４１）によって影響が及ぼされるものとして働く
ことを特徴とする、請求項６に記載のサルベージスーツ。  
【請求項９】
−  牽引配置構成（７４）は、幾つかの前後牽引ストリップ（７４１）を含み、前記前後牽引ストリップ（７４１）は、顔開口（７０）に対する周囲エリアのラインプル接続部（７４０）を起点として、収束配置構成（７５）に向かう前記前後牽引ストリップ（７４１）の働きを発揮し、
−  前記ラインプル接続部（７４０）は、顔開口（７０）の前記周囲エリアに固定された対応するラインプル接続部を含み、
−  前記収束配置構成（７５）は後接続部（７５１）を含み、前記後接続部（７５１）を介して、前記牽引ストリップ（７４１）は、幾つかの伸張ストリップ（７５２，７５４）の影響下に置かれる
ことを特徴とする、請求項６に記載のサルベージスーツ。
【請求項１０】
収束配置構成（７５）は、少なくとも、固定された前記後接続部（７５１）の一部である後接続部（７５１）を含むことを特徴とする、請求項６に記載のサルベージスーツ。
【請求項１１】
収束配置構成（７５）は、伸張ストリップ（７５２，７５４）が後接続部（７５１）内で機能する後接続部（７５１）を含むことを特徴とする、請求項６に記載のサルベージスーツ。
【請求項１２】
収束配置構成（７５）にわたって、弾性伸張ストリップ（７５４）が働き、前記弾性伸張ストリップ（７５４）は、前記収束配置構成（７５）を介して、牽引配置構成（７４）を、通常、締付けた状態に維持し、牽引ストリップ（７４１）にわたって一定伸張を加えることを特徴とする、請求項６に記載のサルベージスーツ。  
【請求項１３】
伸張ストリップ（７５５）は、前伸張接続部（７４２）の上から、牽引配置構成（７４）を、通常、締付けた状態に維持し、一定伸張を加える、弾性手段であることを特徴とする、請求項１２に記載のサルベージスーツ。
【請求項１４】
それぞれの前ラインプル（７４２）及び前通路（７４４）を有する伸張ストリップ（７５５）を含み、前記前通路（７４４）を通り、それぞれの伸張ストリップ（７５２）のそれぞれの引張り部材（７５３）が出ることを特徴とする、請求項１２に記載のサルベージスーツ。
【請求項１５】
伸張ストリップ（７５２）の引張り部材（７５３）に適用され、システム調整を維持する位置ロック手段（７５６）を含むことを特徴とする、請求項１４に記載のサルベージスーツ。
【請求項１６】
牽引配置構成（７４）及び収束配置構成（７５）は、弾性壁部材（７４３，７５５）で形成され、前記弾性壁部材（７４３，７５５）は、周囲エリア内のラインプル接続部（７４２）から顔開口（７０）まで、後収束配置構成（７５）内に収束する幾つかのラインプル分岐を画定することを特徴とする、請求項１２に記載のサルベージスーツ。
【請求項１７】
顔開口（５０，７０）は、前記顔開口をシールする気密構造（５３）に結合されることを特徴とする、請求項１２に記載のサルベージスーツ。
【請求項１８】
気密構造（５３）はネオプレンフレームを含むことを特徴とする、請求項１７に記載のサルベージスーツ。
【請求項１９】
気密構造（５３）は、少なくとも：
−  圧力下で、ユーザの顔に不動に固定されることが可能である変形可能でかつ滑らないプラスチック材料の内側フレーム（５３ａ）、
−  外側フレーム（５３ｃ）、及び、
−  前記気密構造（５３）を拡張した状態に、通常、維持する弾性中詰め材（５３ｂ）
で形成される構造フレームを含むことを特徴とする、請求項１７に記載のサルベージスーツ。
【請求項２０】
気密構造（５３）は、一方で、外側ヘッドピースカバー（７）の外側顔開口（７０）に関連付けられ、他方で、スーツ（１）の壁構造（２）に属する内側フード（５）の内側顔開口（５０）に関連付けられることを特徴とする、請求項１７に記載のサルベージスーツ。
【請求項２１】
−  本体の前部（１１）において、前記断熱壁構造（２）は、内側収容部（１０）に対する出入り開口を構成する湾曲縁（３１）の横断出入り開口（３０）で終わる前突出部（３）を含み、
−  気密閉鎖手段（３２）と共に配置される前記横断出入り開口（３０）は、２つの隣接する部分（３３，３４）を分離し、前記２つの隣接する部分（３３，３４）は、前記出入り開口（３０）の拡張に達するまで、機能的に可動であり、
−  隣接する部分の一方は、ヘッドピース開口（５０）であって、ヘッドピース開口（５０）から、フード（５）が外方に突出する、ヘッドピース開口（５０）を含む
ことを特徴とする、請求項１に記載のサルベージスーツ。
【請求項２２】
前前突出部（３）は、テーパ付きまたは切頭円錐初期部分を形成し、前記円錐初期部分から、湾曲縁（３１）の横断開口（３０）に隣接する部分（３３，３４）を形成する壁が延在することを特徴とする、請求項２１に記載のサルベージスーツ。
【請求項２３】
前前突出部（３）は、横断開口（３０）に隣接する２つの部分（３３，３４）：胸部隣接部（３４）、及び、フード（５）と連通するヘッドピース開口（３５）が存在するヘッドピース隣接部（３３）で終わるフレームによって形成されることを特徴とする、請求項２１に記載のサルベージスーツ。
【請求項２４】
胸部隣接部（３３）は、両方の部分（３４，３３）が横断出入り開口（３０）の有効な位置によって分離されるようにヘッドピース隣接部（３３）より長く、前記胸部隣接部（３３）は、より大きく突出し、スーツ（１）の内側キャビティ（１０）内への進入を提供し、一方、ヘッドピース隣接部（３３）は、より小さく突出するが、ユーザの頭部にわたる前記ヘッドピース隣接部（３３）の閉鎖ダンピングのために位置決めされることを特徴とする、請求項２１に記載のサルベージスーツ。
【請求項２５】
前突出部（３）は、断熱壁（２）内に構造化されたピースであって、結合端（３７）の結合によって、その湾曲縁（３１）が出入り開口（３０）を画定するフレームを形成するように配置されるピースによって形成されることを特徴とする、請求項２１に記載のサルベージスーツ。
【請求項２６】
結合端（３７）は、出入り開口（３０）に向かって収束するように斜めであることを特徴とする、請求項２５に記載のサルベージスーツ。
【請求項２７】
断熱壁（２）の構造は、断熱及び浮揚能力を有する気泡アルミ被覆式壁（２０）を含むことを特徴とする、請求項１に記載のサルベージスーツ。
【請求項２８】
気泡壁（２０）は、マイクロ気泡壁（２０ｂ）及びマクロ気泡壁（２０ａ）を含むことを特徴とする、請求項２７に記載のサルベージスーツ。
【請求項２９】
断熱壁構造（２０）は、以下の因子、すなわち、気泡セルのサイズ及び／または壁の量及び／または壁（２０）の組成、のうちの１つ以上の因子によって決定されるセクターの特異な断熱を規定することを特徴とする、請求項２７に記載のサルベージスーツ。
【請求項３０】
セクターの特異な断熱は、一方で、リム及びヘッドピースのセクター内に、２０ｍｍより小さい気泡を有するマイクロ気泡壁（２０ｂ）を含み、他方で、スーツ（１）の残りの部分内に、２０ｍｍ以上の気泡を有するマクロ気泡壁（２０ａ）を含むことを特徴とする、請求項２９に記載のサルベージスーツ。
【請求項３１】
断熱壁構造は、他のエリアより高い可動性を必要とするエリア内にマイクロ気泡壁（２０ｂ）を含む、セクターの特異な機能を規定することを特徴とする、請求項２９に記載のサルベージスーツ。
【請求項３２】
首フロート（６３）を少なくとも含み、前記首フロート（６３）は、外側本体カバー（６）の上側開口縁（６０）に隣接して、フード（５）の背後に設置されることを特徴とする、請求項１に記載のサルベージスーツ。
【発明の詳細な説明】
【技術分野】
【０００１】
本発明は、異なる産業技術の分野及び船等の輸送に言及し、これを参照して、海または他の水環境における救助装備に言及する。
【０００２】
特に、本発明は、高い機能及び断熱を有する難破船用のサルベージスーツに言及し、サルベージスーツは、難破船生存者のスーツ内への出入り及びスーツ内での難破船生存者の可動性に影響を及ぼすことなく、高い断熱の壁を使用することを可能にし、それにより、出入り口の開口を顔開口と独立させ、両方の開口を外側カバーの通路を通して展開される展開可能スリーブの保護の範囲内に収め、この全てが、適切なヘッドピースの固定及びスーツの残りの部分の大きな可動性によって補完される。
【背景技術】
【０００３】
知られているサルベージスーツはいずれも、展開すると、フードの顔開口と出入り開口の両方を保護する展開可能スリーブが機能する保護エリア内に存在する出入り開口を、内側フードと共に持たない。
【発明の概要】
【発明が解決しようとする課題】
【０００４】
本発明の基礎にある問題は、既に知られているサルベージスーツの、開口を通した進入の動作を行うことの困難さ及び厚い断熱壁を有するサルベージスーツの迅速な装着、ならびに、前記サルベージスーツの前記開口周囲の保護の欠如の問題を克服することである。
【課題を解決するための手段】
【０００５】
問題は、請求項１によるサルベージスーツによって解決される。
【０００６】
本スーツは、スーツの後部に配置されるスーツの内側キャビティに対する出入り開口を有し、前記内側キャビティへの出入りを容易にする。本スーツは、難破した人が、そのままの服装で、スーツ内に素早く進入することを可能にし、この行動は、難破した人が装着している衣類又は靴によって妨害されない。スーツは、素早く装着され得るため、難破船退避が素早く行われ得る。
【０００７】
言及されている出入り開口は、内側フードと共に、展開すると、フードの顔開口と出入り開口の両方を保護する展開可能スリーブが機能する保護エリア内に存在する。
【０００８】
一実施形態において、スーツの内側キャビティに対する出入り開口は、前記出入り開口の大きな開口を可能にする前突出部内に配置される。
【０００９】
収容部が広々しているため、異なる動き、例えば、脚をスーツ脚部からスーツの主要部分の方へと取出すこと、腕をスリーブから取出すこと、より快適であるために異なる浮遊姿勢に変えること等がスーツの内部で行われ得る。
【００１０】
断熱壁構造は、好ましくは気泡層に基づき、適切な断熱及び大きな浮揚能力を可能にするだけでなく、その壁のセクターの区別を可能にする。このセクターの区別（マイクロ気泡エリア、マクロ気泡エリア、異なる密度の気泡を有するエリア等）は、特なセクターの断熱及び特異なセクターの機能（例えば、より大きな可動性または柔軟性が必要とされるマイクロ気泡エリア）を達成することを可能にする。
【００１１】
気泡シート、気密チャンバー、及び本体収容部によって与えられる浮遊能力は、スーツを水からほぼ完全に出た状態に維持し、これは、水との身体接触の面積を減少させ、水温が低いときに、身体が冷たさにさらされることを防止する。
【００１２】
このスーツは、ほぼ本体全体が水から出た状態での浮遊を可能にし、これは、仰向けでまたはうつ伏せで非常に容易に泳ぐことを可能にし（そのため、風及び／または流れに対向することさえ容易である）、穿孔、裂け、または浸水の場合に、気泡層、気密チャンバー、及び本体収容部空気を同様に有するため、スーツ内側空気袋が喪失されないという更なる利点が存在する。
【００１３】
区別されたセクターの機能は、ジョイントフォールド(ｊｏｉｎｔ  ｆｏｌｄ)があることでも向上する。
【００１４】
一方、分離されたヘッドピース外側カバーと本体外側カバーの合体は、周囲通路をフリーに維持し、その周囲通路を通して、展開可能スリーブの展開がなされる。さらに、前記本体カバーは、ユーザの動きを妨げる本体カバーの内部での水の蓄積を防止する排水通路を含み得る。
【００１５】
同時に、装着者は、自分の顔、首、手、及び腕を保護し、装着者は、水に対する１００％気密障壁を有し、装着者は、低体温症に対して適切な防護を得る。その結果、装着者は、冷水内により長く滞在し得る。
【００１６】
本発明の目的の理解を明確にし、容易にするために、本発明は幾つかの図と共に示され、幾つかの図において、本発明はその好ましい実施形態（これら全ては単に例証のためのものである）のうちの１つの好ましい実施形態において示されているが、それに限定されない。
【００１７】
異なる図において、同じ参照数字及び／または文字は、同等のまたは対応する部分を示す。
【図面の簡単な説明】
【００１８】
【図１】考えられる実施形態の１つの実施形態における、外側カバーを有するスーツの縦断面の略図であり、外側カバー内に、断熱壁構造の異なる構成要素が示される。
【図２】本スーツの 正面立面図であり、上部には、ヘッドピース外側カバーが示され、一方、下部には、外側本体カバーが示されており、図Ａは、前突出部の斜視図であり、図Ｂは、１つの気泡壁のその構造を示す横断面図であり、図Ｃは、マクロ気泡構造を有する壁の詳細図であり、図Ｄは、マイクロ気泡構造を有する壁の詳細図であり、及び、図Ｅは、ヘッドピース外側カバーの気密フレームの詳細図である。
【図３】図Ａは、この実施形態において、外側ヘッドピースカバーをスーツ構造に連結する、固定の解除が示されているスーツの上部の斜視後面図であり、図Ｂは、ヘッドピースフードを露出させたままで外側ヘッドピースカバーの取外しを示す側面図である。前記ヘッドピースカバーの内側部分に、牽引配置構成が見られる。
【図４】図Ａは、本調整システムの斜視図であり、破線でフードが示され、その内側部分にわたってシステムが搭載され、この場合、これは、弾性壁の弾性調整貫通部材の別の変形を示し、図Ｂは、立面図において、本システムの後面図が観測できる外側フードの横断面図である。認識され得るように、図Ｂは、図Ａと同じ変形である。
【図５】図Ａは、本調整システムの斜視図であり、破線によってフードが示され、その内側部分にわたってシステムが搭載され、この場合、それは、手作業による調整の後部固定ラインプル接続部に基づく牽引デバイスに関する変形であり、図Ｂは、後面立位図において図Ａのシステムの観測を可能にする外側フードの横断図である。内側フードの位置は破線で示されている。
【図６】図Ａは、本調整システムの斜視図であり、破線によってフードが示され、その内側部分にわたってシステムが搭載され、この場合、それは、弾性ストリップを介した弾性調整による、後固定ラインプル接続部に基づく牽引デバイスであり、図Ｂは、前面立面図における本システムの観測を可能にする外側フードの横断面図であり、外側フードの顔開口の下の前部分において、側面調整ストリップが、どのように対応する前固定リンクを有するかが認識される。
【図７】図Ａは、本調整システムの斜視図であり、破線によってフードが示され、その内側部分にわたってシステムが搭載され、この場合、それは、手作業による調整の変形であり、図Ｂは、前面立面図における本システムの観測を可能にする外側フードの横断面図であち、内側フードの位置が破線で示されている。
【図８】図Ａは、本調整システムの斜視図であり、破線によってフードが示され、その内側部分にわたってシステムが搭載され、この場合、それは、弾性ストリップを介した弾性調整の変形の１つであり、図Ｂは、全面立面図における本システムの観測を可能にする外側フードの横断面図であり、外側フードの顔開口の下の前部分において、側面調整ストリップが、どのように対応する前固定リンクを有するかが認識される。
【図９】位置ロックであって、伸張を生じた後に、調整システムの緩みを防止する、位置ロックの存在が示されるフードの正面立面図である。
【図１０】外側カバーフード及び内側フードの他に、気密構造の主要な構成要素の分解が見られる分解斜視図であり、矢印は前記構成要素のオーバラップする結合を示し、前記分解の下に、組立てられた気密構造が示されている。
【図１１】気密構造が、両方のフード、つまり、外側ヘッドピースカバー及び内側フードの両方の顔開口の周りで固定されている斜視図である。
【図１２】図Ａは、スーツの上側部分の縦断面図であり、構造を形成する異なる壁が見られ、この実施形態において、顔気密フレーム構造は中詰め材壁を含み、図Ｂは、別の実施形態のスーツの上側部分の縦断面図であり、顔気密フレーム構造は中詰め材壁を欠いている。
【図１３】図Ａは、外側カバーを有するスーツの正面立面図であり、図Ｂは、周囲通路がヘッドピース外側カバーと本体外側カバーとの間に存在し、その通路を通して、展開可能スリーブの展開が生成される詳細図である。
【図１４】断熱壁の構造から外側に広げられた展開可能スリーブが示されるスーツの正面立面図である。
【図１５】図Ａは、前部分が突出しておらず、展開可能スリーブが前記前部分及びフードの周りに見られる一実施形態の側面立面図であり、図Ｂは、前突出部及び隣接するフードを含み、両者の周り展開可能スリーブが配置される別の実施形態の側面立面図である。
【図１６】図Ａは、前突出部が認識され、前記突出部及びフードの周りに展開可能スリーブが認識され得るスーツの上側部分の側面立面図であり、図Ｂは、完全に開口した横断開口が見られるスーツの上側部分の側面立面図である。
【図１７】図Ａは、前突出部及びフードが見られる、両者の周りで展開可能スリーブが機能するスーツの正面立面図であり、図Ｂは、完全に開口した横断開口が見られ、その中に、ヘッドピース開口が見られるスーツの正面立面図である。
【図１８】図Ａは、前突出部が見られるスーツの上側部分の別の側面立面図であり、図Ｂは、完全に開口した横断開口が見られるスーツの上側部分の別の側面立面図であり、図Ｃは、図Ａのスーツの下から見た図であり、図Ｄは、ヘッドピース隣接部内に、ヘッドピース開口が見られる、図Ｂのスーツの下から見た図である。
【図１９】前突出部の斜視図である。
【図２０】前突出部が構築される断熱壁の部分の側面図である。
【図２１】フードがヘッドピースの前に設置される前突出部の斜視図である。
【図２２】マイクロ及びマクロ気泡壁による区別された断熱が見られるスーツの断熱構造の正面立面図であり、足部の場合、部分的な断面図で、足部の内側部分に付加されたマイクロ気泡壁を見ることができる。
【図２３】図Ａは、一重のマクロ気泡壁の横断面図であり、図Ｂは、一重のマイクロ気泡壁の横断面図であり、図Ｃは、二重のマクロ気泡壁の横断面図であり、図Ｄは、二重のマイクロ気泡壁の横断面図である。
【図２４】図Ａは、異なるタイプの補強が、マイクロ及びマクロ気泡壁と共に示されるスーツの正面立面図であり、図Ｂは、異なるタイプの補強が、マイクロ及びマクロ気泡壁と共に示されるスーツの後面立面図である。
【図２５】図Ａは、異なるタイプの気泡壁を有するスーツの正面立面図であり、図Ｂは、一重のマクロ気泡壁が見られる本体壁の横断面の詳細図であり、図Ｃは、二重のマクロ気泡壁が見られるフード壁の横断面の詳細図である。
【図２６】図Ａは、異なるタイプの補強が、マイクロ及びマクロ気泡壁と共に示されるスーツの後面立面図であり、図Ｂは、二重のマクロ気泡壁が見られる本体壁の２つのセクターの横断壁の詳細図であり、図Ｃは、この場合、二重のマイクロ気泡壁を含むズボン脚部の外に付加された壁の横断面の詳細図である。
【図２７】スーツの前部分が突出していない一実施形態におけるスーツに関する図であり、図Ａ、図Ｂ、図Ｃ、及び図Ｄを含み、図Ａは、展開可能スリーブの部分的な展開が示されるスーツの上側部分の側面立面図であり、図Ｂは、展開可能スリーブの展開及び展開支持部の部分的な展開が示されるスーツの上側部分の側面立面図であり、図Ｃは、展開可能スリーブ及び展開支持部の完全な展開が示されるスーツの上側部分の側面立面図であり、図Ｄは、首フロートの相補的存在が示されるスーツの上側部分の側面立面図である。
【図２８】前部分が突出する一実施形態におけるスーツに関する図であり、図２Ａ、図Ｂ、図Ｃ及び図Ｄを含み、図Ａは、展開可能スリーブの部分的展開が示されるスーツの上側部分の側面立面図であり、図Ｂは、展開可能スリーブの展開及び展開支持部の部分的展開が示されるスーツの上側部分の側面立面図であり、図Ｃは、展開可能スリーブ及び展開支持部の完全な展開が示されるスーツの上側部分の側面立面図であり、図Ｄは、首フロートの相補的存在が示されるスーツの上側部分の側面立面図である。
【図２９】図Ａは、ズボン脚部のジョイントフォールドが膝の高さで示されるスーツの変形の正面立面図であり、図Ｂは、ジョイントフォールドの詳細側面立面図である。
【図３０】図Ａは、ジョイントフォールドが、背部と、スリーブと、ズボン脚部が支えられる後部分との間の接合部に示されるスーツの変形の後面立面図であり、図Ｂは、ジョイントフォールドのうちの１つの詳細側面立面図である。
【図３１】図Ａは、接合を生成する以前の２つの向かい合う接合部縁の上面平面図であり、図Ｂは、２つの接合部縁の部分的接合を示す側面立面図であり、図Ｃは、２つの接合部縁の間の完全な接合を示す側面立面図であり、図Ｄは、中間にある交換可能インサートを有する２つの接合部縁の間の完全な接合を示す側面立面図である。
【発明を実施するための形態】
【００１９】
一般的には、本発明は、独立している内側収容部に対する出入り開口（３０）及び顔開口（５０）を含む、高い機能及び断熱を有する難破船のためのサルベージスーツに言及する。顔開口（５０）の周りで、断熱壁構造（２）はフード（５）を含み、出入り開口（３０）及び顔開口（５０）は共に、断熱壁構造（２）から突出する展開可能スリーブ（４）によって囲まれる。保護外側カバーは、フード（５）をカバーするヘッドピースカバー（７）及び外側本体カバー（６）を含み、ヘッドピースカバー（７）及び本体カバー（６）は、フレーム通路（９）によって分離され、フレーム通路（９）を通して、前記展開可能スリーブ（４）は、前記ヘッドピースフード（５）にわたってかつ前記出入り開口（３０））にわたって環境的な保護を形成するまで、展開することが可能である。
【００２０】
一般に、本サルベージスーツ（１）は、その内側キャビティ（１０）内に人の身体を収容する容量を有し、熱的及び水理学的保護を与え、浮遊ユニットを形成する。このスーツ（１）は、人の解剖学的形態に従い収容部を画定するが、例えば浮遊ミニキャビン等、人が前記収容部内で移動することを可能にするのに十分な幅を有する。このスーツ（１）は、本体及びヘッドピース部内ならびにズボン脚部（１５）及び腕部（１３）内の両方に断熱壁構造（２）と外側カバーを含む。
【００２１】
特に、このスーツ（１）は、内側収容部（１０）に対する出入り開口（３０）及び顔開口（５０）を含み、両方の開口は互いに独立している。
【００２２】
顔開口（５０）の周りで、断熱壁構造（２）はフード（５）を形成し、一方、出入り開口（３０）の周りで、前記構造（２）は単純であり得、または前突出部（３）を形成し得る。
【００２３】
出入り開口（３０）及び顔開口（５０）は共に、断熱壁構造（２）から外側に広げられた展開可能スリーブ（４）によって囲まれる。
【００２４】
保護外側カバーは、内側フード（５）をカバーする外側ヘッドピースカバー（７）及び本体カバー（６）であって、その外側キャビティ（６１）が断熱壁構造（２）を備える、本体カバー（６）を少なくとも含む。したがって、外側カバーは、本体[前部（１１）及び背部（１２）]及びリム[上肢（１３）、ミトン（１４）、ズボン脚部（１５）、足部（１６）]を覆う。異なるエリアにおいて、カバー（６，７）は、例えば、着脱可能閉鎖部（２３）のため等、その目的に適する要素によって断熱壁構造（２）に関連付けられる。
【００２５】
ヘッドピースカバー（７）及び本体カバー（６）は、フレーム通路（９）によって分離され、フレーム通路（９）を通して、前記展開可能スリーブ（４）は、ヘッドピースフード（５）にわたってかつ出入り開口（３０））にわたって環境的な保護または保護された環境を形成するまで、展開することが可能である。より具体的には、フレーム通路（９）は、本体カバー（６）の本体縁（６２）と外側ヘッドピースカバー（７）のヘッドピース縁（７２）との間に見出される。
【００２６】
本体カバー（６）の上側部において、前記展開可能スリーブ（４）に隣接する方法で、１つまたは複数の首フロート（６３）を、例えば、外側本体カバー（６）の上側開口（６０）の本体縁（６２）に隣接するエリアにおいて、首フロート（６３）がフード（５）の後ろに設置され、難破船生存者が水に浮きながら横たわるときに生存者の頭部を高く保った状態を維持するのに役立つように適用する可能性が予見される。
【００２７】
この外側展開可能スリーブは、ベース結合部（４０）を有し、ベース結合部（４０）は、その展開可能壁（４１）を断熱壁構造（２）に結合する。弾性展開可能部材であって、展開可能リム（４６）で終わる弾性体（４５）を装備し、前記展開可能スリーブ（４）の展開支持部（４４）として働く、弾性展開可能部材が利用可能であり得る可能性が予見されている。この展開可能スリーブ（４）が、その端縁（４２）において、その外側開口の端閉鎖手段（４３）を有し、それが、展開可能スリーブ（４）が提供する環境的な保護を改善することが同様に予見されている。
【００２８】
ヘッドピースカバー（７）は、スカート（７１）を断熱壁構造（２）に関連付けるリテンションまたは保持手段を少なくとも有する。このリテンションまたは後固定手段（７８）は、例えば、「ベルクロ（Ｖｅｌｃｒｏ）」またはシスルタイプの結合部のように迅速開閉型であり得る。
【００２９】
一方、内側フード（５）は、ユーザの顔がそこから現れる内側顔開口（５０）の周りで外側ヘッドピースカバー（７）に関連付けられる。
【００３０】
さらに、ヘッドピースカバー（７）及びフード（５）は、牽引配置構成（７４）の影響下にあり、牽引配置構成（７４）は、周囲エリアに隣接するラインプル接続部（７４０）から外側顔開口（７０）まで、内側周囲エリア（５１）にわたる顔一体化の圧力を加えることが可能である。
【００３１】
牽引配置構成（７４）は、後収束配置構成（７５）であって、ラインプル接続部（７４０）を後収束配置構成（７５）に接続する幾つかのラインプル分岐（７４１）が収束する先の、後収束配置構成（７５）によって影響が及ぼされるものとして働く。
【００３２】
収束配置構成（７５）及び牽引配置構成（７４）は、スーツ（１）の外側ヘッドピースカバー（７）の内側部内に搭載され、フード（５）とヘッドピースカバー（７）との間の接続部を通してフード（５）にわたって機能する。この接続は、フード（５）の内側結合部（５２）を外側ヘッドピースカバー（７）の外側周囲エリア（７０ａ）に結合する気密構造（５３）を介して行われる。
【００３３】
一実施形態において、牽引配置構成（７４）は、外側ヘッドピースカバー（７）の、中央エリアを超えて、例えば、後エリアに配置された、固定式ラインプル接続部（７４５）を含み、そこから、ラインプル接続部は、外側顔開口（７０）の外側周囲エリアにわたって伸張をもたらすことが可能である。
【００３４】
牽引配置構成（７４）は、伸張ストリップ（７５２）によって影響が及ぼされるものとして働き、伸張ストリップ（７５２）は、対応する図に見られ得るように、後収束配置構成（７５）から、少なくとも、前記固定されたラインプル（７４５）の一部に接続する。
【００３５】
別の実施形態において、伸張ストリップは、牽引配置構成（７４）を、通常、締付けた状態に維持し、一定伸張をもたらす、弾性手段である。
【００３６】
別の実施形態において、牽引配置構成（７４）は、外側顔開口（７０）の外側周囲エリア（７１）に固定された周囲ラインプル接続部（７４０）に関連付けられた牽引ストリップ（７４１）を含む。代わりに、収束配置構成（７５）は、前記牽引ストリップ（７４１）及び伸張ストリップ（７５２）が共にそこを通過するフリー後接続部（７５０）を含む。一方、収束配置構成（７５）は、伸張ストリップ（７５２）がそこを通過する[ラインプルの固定（７７）による]固定式後接続部（７５１）を少なくとも含む。
【００３７】
より詳細には、一実施形態において、牽引配置構成（７４）は、幾つかの前後牽引ストリップ（７４１）を含み、その前後牽引ストリップ（７４１）は、外側顔開口（７０）に対する外側周囲エリア（７０ａ）のリンクまたはラインプル接続部（７４０）を基点として、収束配置構成（７５）に向かうその働きを発揮する。
【００３８】
ラインプル接続部は、外側顔開口（７０）の前記外側周囲エリア（７０ａ）に固定された対応するラインプル接続部を含み、一方、収束配置（７５）は後接続部（７５０，７５１）を含み、後接続部（７５０，７５１）を介して、前記牽引ストリップ（７４１）は、幾つかの伸張ストリップ（７５２，７５４）の影響下に置かれる。
【００３９】
それぞれの伸張ストリップ（７５２）は、リンクまたは前伸張接続部（７４２）、及び、引張り端（７５３）がそこを通して前記伸張ストリップ（７５２）から出てくる前または前方通路（７４４）を有する。
【００４０】
伸張を生成した後に、システムの調整（７３）を維持するために、位置ロック手段（７５６）[例えば、ＴＡＮＣＡタイプと呼ばれる位置ロック手段]の使用が予見されており、位置ロック手段（７５６）は、伸張ストリップ（７５２）の引張り端（７５３）に適用されて、フード（５）の前部（１１）に対するまたは前通路（７４４）の小穴に対するロックを生成し、システムの緩みを防止する。
【００４１】
別の実施形態において、牽引配置（７４）は、幾つかの弾性前後牽引ストリップ（７４１）を含み、その前後牽引ストリップ（７４１）は、外側顔開口（７０）に対する外側周囲エリア（７０ａ）のリンクまたはラインプル接続部（７４０）を基点として、収束配置構成（７５）に向かうその働きを発揮する。
【００４２】
収束配置構成（７５）は、後接続部（７５０，７５１）を含み、後接続部（７５０，７５１）を介して、前記牽引ストリップ（７４１）は、幾つかの伸張ストリップ（７５２，７５４）の影響下に置かれる。
【００４３】
少なくとも、伸張ストリップ（７５４，７５５）は、弾性であり、前記牽引ストリップ（７４１）にわたって一定伸張力を加えるように、通常、伸張される。
【００４４】
述べた両方の実施形態において、リンクは、フリーまたはレール通路開口（７６）、ロック付きまたはロックなしのバックル、Ｔａｎｃａｓ（英語表現「コードロック（ｃｏｒｄ  ｌｏｃｋ）」によって同様に知られているコードまたはテープ用の保持部）、固定端を有し小穴を備える柔軟部材等のような、所望の効果に適する異なる要素を含み得る。
【００４５】
別の実施形態において、牽引配置構成（７４）及び収束配置構成（７５）は、弾性壁部材によって形成され、弾性壁部材は、顔開口（７０）に対する外側周囲エリア（７０ａ）内のリンクまたはラインプル接続部（７４０）を基点として、後収束配置構成（７５）内に収束するラインプルまたは弾性牽引リム（７４３）の幾つかの分岐を画定する。異なる要素が、弾性壁部材を形成する同じピースの一部を形成する可能性が同様に存在する。
【００４６】
一方、内側フード（５）内に、内側顔開口（５０）が、内側顔開口（５０）に適切な引締めを与える気密構造（５３）を有することが予見されている。
【００４７】
気密構造（５３）は、その周辺結合縁（５３ｃ）がフード（５）の内側結合部（５２）に結合されており、圧力下で、ユーザの顔に不動に固定することが可能である変形可能でかつ滑らないプラスチック材料のフレームを含む。一実施形態において、前記気密構造（５３）はネオプレンフレームを含む。
【００４８】
他の実施形態において、気密構造（５３）は、例えば、内側フレームまたは顔並置部（５３ａ）、フレームまたは外側部（５３ｄ）、及び中間中詰め材（５３ｂ）を備えるフレームを含み得る。
【００４９】
内側フレームまたは顔並置部（５３ａ）は、圧力下で、ユーザの顔に不動に固定することが可能である変形可能でかつ滑らないプラスチック材料を含む。この内側フレームが、ポリエーテル等の、その機能に適した材料で構築されることが予見されている。この内側フレームまたは顔並置部（５３ａ）の外側に、中間弾性変形可能中詰め材（５３ｂ）及び前部（１１）を覆う外側フレームまたは部（５３ｄ）が配置される。前記弾性中詰め材（５３ｂ）は、気密構造（５３）を、通常拡張した状態で維持する容量を有する。
【００５０】
このスーツ（１）は、本体及びヘッドピース部ならびにズボン脚部（１５）及び腕部の両方を形成する断熱壁構造（２）を有する。これらの断熱壁（２）は、断熱及び浮揚能力を有するアルミ被覆式（２０ｃ）気泡壁（２０）を含む。本説明のために、マイクロ気泡壁（２０ｂ）は、気泡が２０ｍｍより小さい気泡壁を意味するものとする。同じ目的で、マクロ気泡壁（２０ａ）は、気泡が２０ｍｍ以上である気泡壁であるものとする。これは、気泡壁（２０）を、その気泡のサイズの大小に従って区別する目的での基準定義の問題であることが明らかである。
【００５１】
この区別は、区別により、断熱壁構造（２）が、セクターの特異な断熱を規定することを可能にするという事実のために、とりわけ重要である。この区別は、気泡セルのサイズによってならびに壁の量及び／またはこれらの壁（２）の組成によっての両方で決定され得る。
【００５２】
例えば、前突出部（３）及びヘッドピース部の、リムエリア内に２０ｍｍより小さい気泡を有するマイクロ気泡壁（２０ｂ）を含むセクターの特異な断熱の可能性が予見されている。代わりに、２０ｍｍ以上の気泡を有するマクロ気泡壁（２０ａ）の存在が、スーツ（１）の残りの部分において使用され得る。
【００５３】
さらに、断熱壁構造（２）が少なくとも外側壁（２１）を含み、外側壁（２１）がポリエーテル等の材料であり得、水に対する障壁として主に機能することが予見されている。
【００５４】
一方、ユーザ身体に接触状態の内側壁（２２）のオプションの存在が予見されている。
【００５５】
同様に、断熱壁構造（２）が、マクロ気泡壁（２０ａ）が設置され得る他のエリアと比べて高い可動性を必要とするエリア内にマイクロ気泡壁（２０ｂ）を含み、セクターの特異の機能を規定することが予見されている。
【００５６】
一実施形態において、本体の前部（１１）において、展開可能スリーブ（４）は、横断出入り開口（３０）がそこに設置される非突出前エリア（３ａ）の周りを囲む。この最後のエリアは、前記横断出入り開口（３０）の拡張に達するまで機能的に可動である２つの隣接部（３３，３４）を画定する。この出入り開口（３０）は気密閉鎖手段（３２）を有する。
【００５７】
別の実施形態において、本体の前記前部（１１）は、内側収容部への出入り口を構成する湾曲縁（３１）の横断出入り開口（３０）で終わる前突出部（３）を提示する。
【００５８】
この横断出入り開口（３０）は、その湾曲縁（３１）に適用される気密閉鎖手段を有し、湾曲縁（３１）は、前記横断出入り開口（３０）の拡張に達するまで機能的に可動である２つの隣接部（３３，３４）を分離する。
【００５９】
より詳細には、前突出部（３）は、フレームとして、テーパ付き初期部を形成し、テーパ付き初期部から、隣接部（３３，３４）を形成する壁が、湾曲縁（３１ａ，３１ｂ）の横断開口（３０）まで延在する。横断開口（３０）に隣接するこれらの部分（３３，３４）は、胸部湾曲縁（３１ｂ）で終わる胸部隣接部（３４）、及び、ヘッドピース湾曲縁（３１ａ）で終わるヘッドピース隣接部（３３）を含み、ヘッドピース隣接部（３３）内に、フード（５）と連通するヘッドピース開口（３５）が存在する。
【００６０】
ヘッドピース隣接部（３３）が胸部隣接部（３４）より小さく突出する可能性が予見されている。こうして、ヘッドピース隣接部（３３）のより小さい突出部は、フード（５）と連通するヘッドピース開口（３５）を通したユーザの頭部の挿入を容易にする。
【００６１】
壁構造の観点から、前突出部（３）は、１つまたは複数の気泡壁（２０）を含む断熱壁構造（２）で形成され得る。
【００６２】
断熱の外に、隣接部（３３，３４）は、その柔軟性により、前記隣接部（３３，３４）の分岐ダンピング(ｄｉｖｅｒｇｅｎｔ  ｄｕｍｐｉｎｇ)を可能にする断熱壁構造（２）を有し、分岐ダンピングは、湾曲縁（３１）内の幾つかの角（３１ｃ）の存在によって容易になる。こうして、横断出入り開口（３０）の拡張は、容易に生成され、その後、前記湾曲縁（３１）内に配置された気密閉鎖手段（３２）によって閉鎖されてもよい。
【００６３】
一実施形態において、前突出部（３）は、断熱壁（２）内の構造化されたピースによって形成され、その結合縁（３６）は前部（１１）の残りの部分に接合される。この前突出部（３）は、その端（３７）の結合によって、その湾曲縁（３１）が出入り開口（３０）を画定するフレームが形成されるように配置される。
【００６４】
前記結合端（３７）は、好ましくは、出入り開口（３０）に向かって収束するように斜めである。こうして、フレーム縁は、スーツ収容部（１）内へのユーザの導入を容易にする装着誘引縁（ｆｉｔｔｉｎｇ  ｉｎｖｉｔａｔｉｏｎ  ｅｄｇｅ）として働く。
【００６５】
この場合、さらに、ヘッドピース開口（３５）は、内側フード（５）のヘッドピースベース（５４）に接合される。
【００６６】
一方、断熱壁構造（２）は、脚部フォールド（８０）、スリーブフォールド（８１）、及び体幹下部フォールド（８２）等のジョイントフォールド（８）の組込みを可能にする。一実施形態において、これらのジョイントフォールド（８）は、接合部縁（８ａ）の間の接合部（８ｂ）を介して形成される。別の実施形態において、接合部交換可能インサート（８ｃ）が組込まれ、接合部縁（８ａ）の間に設置される。
【００６７】
最後に、少なくとも、外側本体カバー（６）が、その外側キャビティ（６１）内での水の蓄積を防止する排水通路（１００）を備えることが予見されている。
【００６８】
明らかに、本発明を実現することによって、添付請求項において明瞭に説明される本質的な原理から離れることなく、或る構成の詳細と形状に関する修正が導入されてもよい。
【符号の説明】
【００６９】
（１）  スーツ
（１０）  スーツ（１）の内側収容部またはキャビティ
（１１）  スーツ（１）の本体の前部
（１２）  スーツ（１）の本体の背部
（１３）  スーツ（１）の上肢
（１４）  スーツ（１）のミトン
（１５）  スーツ（１）のズボン脚部
（１６）  スーツ（１）の足部
（２）  断熱壁構造
（２０）  気泡壁
（２０ａ）  マクロ気泡壁
（２０ｂ）  マイクロ気泡壁
（２０ｃ）  アルミ被覆式層
（２１）  外側壁[防水障壁]
（２２）  内側壁
（２３）  着脱可能閉鎖部
（３）  前突出部
（３ａ）  前エリア[非突出実施形態]
（３０）  横断出入り開口[内側キャビティ（１０）へ]
（３１）  横断開口（３０）の湾曲縁
（３１ａ）  ヘッドピース湾曲縁
（３１ｂ）  胸部湾曲縁
（３１ｃ）  湾曲縁（３１）の角
（３２）  気密閉鎖手段
（３３）  ヘッドピース隣接部  
（３４）  胸部隣接部
（３５）  ヘッドピース開口[ヘッドピース隣接部（３３）内、フード（５）と連通する]
（３６）  結合部の縁[前突出部（３）と前部（１１）の残りの部分との間]
（３７）  斜め結合端
（４）  展開可能スリーブ
（４０）  ベース結合部[構造（２）に対する展開可能スリーブ（４）の]
（４１）  展開可能壁
（４２）  端縁
（４３）  端閉鎖部
（４４）  展開支持部
（４５）  支持部（４）の弾性本体
（４６）  支持部（４）の展開リム
（５）  内側フード[スーツの内側壁の構造に属する]
（５０）  内側顔開口
（５１）  内側周囲エリア
（５２）  内側結合部[気密構造（５３）を有する]
（５３）  気密フレームまたは気密構造
（５３ａ）  顔並置部[または内側フレーム]
（５３ｂ）  変形可能中詰め材
（５３ｃ）  周辺結合縁[フード（５）の内側結合部（５２）を有する気密フレーム（５３）の]
（５３ｄ）  外側部[または外側フレーム]
（５４）  ヘッドピースベース[ヘッドピース開口（３５）に接合される]
（６）  外側本体カバー
（６０）  外側本体カバー（６）の上側開口
（６１）  外側キャビティ
（６２）  本体縁[上側開口（６０）の]
（６３）  首フロート
（６４）  滑らないソール[本体カバー（６）の脚部上]
（７）  外側ヘッドピースカバー
（７０）  外側顔または前開口
（７０ａ）  外側周囲エリア
（７１）  外側ヘッドピースカバー（７）のスカート
（７２）  ヘッドピース縁
（７３）  調整システム
（７４）  牽引配置構成
（７４０）  周囲ラインプル接続部
（７４１）  牽引ストリップ
（７４２）  前伸張接続部
（７４３）  弾性牽引部材
（７４４）  引張り前通路
（７４５）  背部ラインプル接続部
（７５）  収束配置構成
（７５０）  伸張緩み後接続部
（７５１）  レール固定式後接続部
（７５１ａ）  後接続部（７５１）の固定
（７５２）  下側手作業伸張ストリップ
（７５３）  伸張ストリップ（７５２）の引張り端
（７５４）  後弾性伸張ストリップ
（７５５）  下側弾性伸張ストリップ
（７５６）  端（７５３）の位置ロック
（７６）  レール通路[小穴]
（７７）  ラインプルの固定
（７８）  後固定またはリテンション手段[スカート（７１）の]
（８）  ジョイントフォールド
（８ａ）  接合部縁
（８ｂ）  接合部
（８ｃ）  接合部交換可能インサート
（８０）  脚部フォールド
（８１）  スリーブフォールド
（８２）  体幹下部フォールド
（９）  フレーム通路[本体縁（６２）とヘッドピース縁（７２）との間に形成され、それにより、展開可能スリーブ（４）が展開される]
（１００）  排水通路
【図１】
2019527166.tif 000003
【図２】
2019527166.tif 000004
【図３Ａ】
2019527166.tif 000005
【図３Ｂ】
2019527166.tif 000006
【図４Ａ】
2019527166.tif 000007
【図４Ｂ】
2019527166.tif 000008
【図５Ａ】
2019527166.tif 000009
【図５Ｂ】
2019527166.tif 000010
【図６Ａ】
2019527166.tif 000011
【図６Ｂ】
2019527166.tif 000012
【図７Ａ】
2019527166.tif 000013
【図７Ｂ】
2019527166.tif 000014
【図８Ａ】
2019527166.tif 000015
【図８Ｂ】
2019527166.tif 000016
【図９】
2019527166.tif 000017
【図１０】
2019527166.tif 000018
【図１１】
2019527166.tif 000019
【図１２Ａ】
2019527166.tif 000020
【図１２Ｂ】
2019527166.tif 000021
【図１３】
2019527166.tif 000022
【図１４】
2019527166.tif 000023
【図１５Ａ】
2019527166.tif 000024
【図１５Ｂ】
2019527166.tif 000025
【図１６Ａ】
2019527166.tif 000026
【図１６Ｂ】
2019527166.tif 000027
【図１７Ａ】
2019527166.tif 000028
【図１７Ｂ】
2019527166.tif 000029
【図１８Ａ】
2019527166.tif 000030
【図１８Ｂ】
2019527166.tif 000031
【図１８Ｃ】
2019527166.tif 000032
【図１８Ｄ】
2019527166.tif 000033
【図１９】
2019527166.tif 000034
【図２０】
2019527166.tif 000035
【図２１】
2019527166.tif 000036
【図２２】
2019527166.tif 000037
【図２３Ａ】
2019527166.tif 000038
【図２３Ｂ】
2019527166.tif 000039
【図２３Ｃ】
2019527166.tif 000040
【図２３Ｄ】
2019527166.tif 000041
【図２４Ａ】
2019527166.tif 000042
【図２４Ｂ】
2019527166.tif 000043
【図２５】
2019527166.tif 000044
【図２６】
2019527166.tif 000045
【図２７Ａ】
2019527166.tif 000046
【図２７Ｂ】
2019527166.tif 000047
【図２７Ｃ】
2019527166.tif 000048
【図２７Ｄ】
2019527166.tif 000049
【図２８Ａ】
2019527166.tif 000050
【図２８Ｂ】
2019527166.tif 000051
【図２８Ｃ】
2019527166.tif 000052
【図２８Ｄ】
2019527166.tif 000053
【図２９】
2019527166.tif 000054
【図３０】
2019527166.tif 000055
【図３１Ａ】
2019527166.tif 000056
【図３１Ｂ】
2019527166.tif 000057
【図３１Ｃ】
2019527166.tif 000058
【図３１Ｄ】
2019527166.tif 000059
【国際調査報告】
2019527166.tif 000060
2019527166.tif 000061